(57)【要約】      （修正有）【課題】ブリッジ回路を備えた物理量検出装置において、１対のセンサ素子における特性ばらつきの影響を低減する。【解決手段】交流電圧が供給される第１および第２の入力点Ｎ１、Ｎ２と、差動増幅回路に接続される第１および第２の出力点Ｓ１、Ｓ２を有するブリッジ回路を備え、第１の入力点Ｎ１と第１の出力点Ｓ１を電気的に接続する第１ブリッジアーム、第１の出力点Ｓ１と第２の入力点Ｎ２を電気的に接続する第２ブリッジアーム、第１の入力点Ｎ１と第２の出力点Ｓ２を電気的に接続する第３ブリッジアーム、第２の出力点Ｓ２と第２の入力点Ｎ２を電気的に接続する第４ブリッジアームを有している。第１、２ブリッジアームは、測定対象となる物理量に応じてインピーダンスが変化する。第１、２ブリッジアームが有する合計のインピーダンスは、第３、４のブリッジアームが有する合計のインピーダンスよりも小さく設定されている。【選択図】図１
2006017701.tif 000002
【特許請求の範囲】
【請求項１】
交流電圧が供給される第１および第２の入力点と、差動増幅回路に接続される第１および第２の出力点とを有するブリッジ回路を備えた物理量検出装置であって、
前記ブリッジ回路は、
前記第１の入力点と前記第１の出力点とを電気的に接続する第１ブリッジアーム、前記第１の出力点と前記第２の入力点とを電気的に接続する第２ブリッジアーム、前記第１の入力点と前記第２の出力点とを電気的に接続する第３ブリッジアーム、および、前記第２の出力点と前記第２の入力点とを電気的に接続する第４ブリッジアームを有し、
前記第１ブリッジアームは、測定対象となる物理量に応じてインピーダンスが変化する第１のセンサ素子を含み、かつ、前記第２ブリッジアームは、前記物理量に応じてインピーダンスが変化する第２のセンサ素子を含み、
前記第１および第２ブリッジアームが有する合計のインピーダンスは、前記第３および第４のブリッジアームが有する合計のインピーダンスよりも小さく設定されている物理量検出装置。
【請求項２】
前記第１および第２のセンサ素子は、いずれも、荷重に応じてインピーダンスが変化する磁歪センサ素子であり、
測定対象となる物理量は、前記第１および第２のセンサ素子のいずれか一方に加えられた荷重である、請求項１に記載の物理量検出装置。
【請求項３】
前記第１のセンサ素子は、磁歪材料から形成された第１磁歪部材と、前記第１磁歪部材を取り囲む第１コイルを有する第１の磁歪センサ素子であり、前記第１コイルは、前記第１の入力点と前記第１の出力点とを電気的に接続しており、
前記第２のセンサ素子は、磁歪材料から形成された第２磁歪部材と、前記第２磁歪部材を取り囲む第２コイルを有する第２の磁歪センサ素子であり、前記第２コイルは、前記第１の出力点と前記第２の入力点とを電気的に接続している、請求項２に記載の物理量検出装置。
【請求項４】
前記第１および第２ブリッジアームが有する合計のインピーダンスは、前記第３および第４のブリッジアームが有する合計のインピーダンスの９０％以下である請求項１から３のいずれかに記載の物理量検出装置。
【請求項５】
前記第１および第２ブリッジアームの少なくとも一方は、平衡調節用可変抵抗を含んでいる請求項１から４のいずれかに記載の物理量検出装置。
【請求項６】
前記ブリッジ回路は、前記第１のセンサ素子と前記第２のセンサ素子との間に直列的に接続された平衡調節用可変抵抗素子を有しており、
前記第１の出力点は、前記平衡調節用可変抵抗素子に接続されている、請求項１から４のいずれかに記載の物理量検出装置。
【請求項７】
前記ブリッジ回路は、前記第３のブリッジアームと前記第４のブリッジアームセンサ素子との間に直列的に接続された第２の平衡調節用可変抵抗素子を有しており、
前記第２の出力点は、前記第２の平衡調節用可変抵抗素子に接続されている、請求項６に記載の物理量検出装置。
【請求項８】
測定動作時において、前記第１の出力点と前記差動増幅回路との間、および、前記第２の出力点と前記差動増幅回路との間には電流が実質的に流れない、請求項７に記載の物理量検出装置。
【請求項９】
前記ブリッジ回路における前記第１および第２の入力点に印加する交流電圧を生成する交流電圧生成回路と、前記第１および第２の出力点に接続される前記差動増幅回路とが同一電子回路基板上に搭載されている、請求項１から８のいずれかに記載の物理量検出装置。
【請求項１０】
前記交流電圧生成回路は、発振回路と、前記発振回路から出力される信号の振幅を制限する振幅制限回路とを有している、請求項９に記載の物理量検出装置。
【請求項１１】
前記差動増幅回路を含む検出回路部を備え、
前記検出回路部は、前記第１のセンサ素子によって測定される前記物理量の値と、前記第２のセンサ素子によって測定される前記物理量の値とが等しいときであっても、ゼロではない値を示す信号を出力することにより、前記検出回路部の出力信号を伝播する配線が断線しているか否かの判断が可能である、請求項１から１０のいずれかに記載の物理量検出装置。
【請求項１２】
請求項１から１１のいずれかに記載の物理量検出装置と、
前記物理量検出装置によって検出される物理量に応じて動作が制御されるエンジンと、
を備えた乗り物。
【請求項１３】
前記物理量検出装置によって検出される物理量は、操作者によって前記乗り物のハンドルに加えられた力に依存した量である、請求項１２に記載の乗り物。
【請求項１４】
請求項７記載の物理量検出装置におけるブリッジ回路のゼロ点調整方法であって、
前記第１および第２のセンサ素子によって検知すべき物理量をゼロに設定した状態で前記平衡調整用可変抵抗器のいずれか一方を調節することにより、前記第１および第２の出力点の間における差動電圧の振幅を最小にする第１調整工程と、
前記第１および第２のセンサ素子に与える物理量をゼロにした状態で前記平衡調整用可変抵抗器の他方を調節することにより、前記第１および第２の出力点の間における差動電圧の振幅を最小にする第２調整工程と、
を含むブリッジ回路のゼロ点調整方法。
【請求項１５】
前記第１調整工程および第２調整工程を繰り返すことにより前記差動電圧を極小化する請求項１４に記載のゼロ調整方法。
【発明の詳細な説明】
【技術分野】
【０００１】
本発明は、ブリッジ回路を備えた物理量検出装置に関し、特に、測定対象となる物理量に応じてインピーダンスが変化する一対のセンサ素子を備えた検出装置に関している。本明細書における「物理量」とは、使用するセンサ素子で測定可能な物理量であって、力（トルク荷重を含む種々の力）、電流、電圧、光量、温度などを広く含むものとする。
【背景技術】
【０００２】
従来より、磁歪センサ素子を備えた磁歪式荷重検出装置が開発されている。磁歪センサ素子は、荷重に応じて初透磁率が変化する磁歪材料を用い、磁歪材料の初透磁率の変化を検出用コイルなどのインピーダンス（インダクタンスおよび抵抗値）の変化として検出する素子である。磁歪材料としては、例えば鉄系、鉄クロム系、鉄ニッケル系、鉄コバルト系、純鉄、鉄珪素系、鉄アルミニウム系、パーマロイ系などの磁性材料、軟磁性材料、または超磁性材料などが好適に用いられる。
【０００３】
図１（ａ）は、従来の磁歪式荷重検出装置における典型的な検知回路を示す等価回路図である。この図に示されるブリッジ回路は、交流電圧（交流電流）が入力される第１および第２の入力点Ｎ１、Ｎ２と、不図示の差動増幅回路に接続される第１および第２の出力点Ｓ１、Ｓ２を有しており、第１および第２の入力点Ｎ１、Ｎ２に入力される交流電圧は、交流電圧生成回路部１０から供給される。
【０００４】
図１（ａ）のブリッジ回路では、磁歪センサ素子ＳＥ１、ＳＥ２が並列に接続されている。このようなブリッジ回路を「並列型ブリッジ回路」と称することとする。並列型ブリッジ回路を備えた荷重検出装置は、例えば特許文献１〜４に記載されている。
【０００５】
並列型ブリッジ回路において、一対の磁歪センサ素子の間に初透磁率のばらつきが存在すると、無荷重時平衡点および荷重時の出力感度が安定しないため、検出値の精度や信頼性が低下するという問題がある。このため、磁歪式センサ素子間に存在する初透磁率のばらつきによる影響を低減することが必要になる。
【０００６】
このような初透磁率のばらつきの影響を低減する最も効果的な方法は、ブリッジ回路を流れる交流電流（励磁電流）を増大させることにある。
【特許文献１】特開平５−６０６２７号公報
【特許文献２】特開平１０−２６１１２８号公報
【特許文献３】実開平５−４５５３７号公報
【特許文献４】特開２００１−３５６０５９号公報
【発明の開示】
【発明が解決しようとする課題】
【０００７】
しかしながら、従来の並列型ブリッジ回路を採用した場合、以下に述べる理由により、磁歪センサ素子の特性ばらつきを低減する目的で励磁電流をさらに増加させることは極めて難しい。
【０００８】
図１（ａ）に示す並列型ブリッジ回路では、測定可能な荷重の範囲（検出レンジ）を拡大するためには、ブリッジ回路における固定抵抗の大きさを、磁歪センサ素子ＳＥ１、ＳＥ２の抵抗値（インピーダンス）と略同じ値に設定する必要がある。通常の磁歪センサ素子におけるインピーダンスは１００Ω程度以下であるため、ブリッジ抵抗の大きさも１００Ω程度に設定される。このため、ブリッジ回路のインピーダンスを更に大きくすることは困難である。
【０００９】
一方、並列型ブリッジ回路で生じるインピーダンスの変化の影響が交流電圧生成回路部１０の発振回路（不図示）に及ぶと、発振回路から出力される交流信号の発振波形が変化してしまうことになる。このような問題が生じないようにするには、発振回路と並列型ブリッジとの間にオペアンプなどを挿入し、バッファアンプとして機能させる必要がある。このような回路構成を採用すると、発振回路から出力された交流電圧は、オペアンプを介してから並列型ブリッジ回路に入力されるため、並列型ブリッジ回路におけるインピーダンスの変化は発振回路に影響しなくなる。しかし、オペアンプの性能上の制約から、並列型ブリッジ回路に供給することが可能な励磁電流の大きさは、せいぜい数１０ｍＡ（ミリアンペア）程度になる。しかも、並列型ブリッジ回路には、対称に電流が流れるため、各磁歪センサ素子ＳＥ１、ＳＥ２に流れる励磁電流の大きさは、入力点Ｎ１、Ｎ２に供給される励磁電流の半分に低下してしまう。
【００１０】
以上の理由から、各磁歪センサ素子ＳＥ１、ＳＥ２に流れる励磁電流の大きさを増加させることにより、センサ素子特性のばらつきに起因する影響を大幅に減少させることは極めて困難である。
【００１１】
また、磁歪センサ素子のインピーダンスが極端に低い場合、ブリッジ回路とオペアンプとの間に抵抗器を挿入し、オペアンプが出力飽和を起こさないように電流制限を行なう必要がある。その結果、ブリッジ回路に印加される電圧が更に低下し、荷重の検出レンジが狭くなるという問題が生じる。
【００１２】
一方、磁歪センサ素子を用いてブリッジ回路を構成する場合、磁歪センサ素子が有する初透磁率ばらつきを補償するため、ゼロ点調整が必要となるが、実開７−２９４３号公報に開示されている並列型ブリッジ回路では、各磁歪センサに直列に接続された可変抵抗器の抵抗値を調節することにより、ゼロ点調整が行われる。しかし、以下に説明するように、このようなゼロ点調整では完全平衡状態を実現することはできない。
【００１３】
磁歪センサ素子は、交流電流により励磁されるため、完全に平衡調整を行う為には実数部と虚数部の両方のインピーダンス・アンバランスをゼロにする必要がある。しかしながら、従来のゼロ点調整方法では、インピーダンスのアンバランスのうち、実部または虚部のどちらか一方しか除去することができない。したがって、無荷重時における出力電圧をできる限り小さくするようにゼロ点調節を実行しても、残差電圧が必ず発生してしまう。残差電圧が発生すると、２つの磁歪センサ素子の出力特性に差が生じることになる。また、無荷重時における出力電圧がゼロでないため、出力電圧のダイナミック・レンジが狭まってしまうという欠点もある。このように、従来のブリッジ回路では、完全平衡調整を実現することができないため、測定精度が不十分であった。
【００１４】
本発明は、上記課題を解決するためになされたものであり、その目的は、交流ブリッジ回路を備えた物理量検出装置において、１対のセンサ素子における出力特性ばらつきの影響を低減することにある。
【００１５】
また、本発明の他の目的は、ブリッジ回路における完全平衡調整を実現し、さらには完全平衡点の経時変化を抑制した物理量検出装置を提供することにある。
【課題を解決するための手段】
【００１６】
本発明の物理量検出装置は、交流電圧が供給される第１および第２の入力点と、差動増幅回路に接続される第１および第２の出力点とを有するブリッジ回路を備えた物理量検出装置であって、前記ブリッジ回路は、前記第１の入力点と前記第１の出力点とを電気的に接続する第１ブリッジアーム、前記第１の出力点と前記第２の入力点とを電気的に接続する第２ブリッジアーム、前記第１の入力点と前記第２の出力点とを電気的に接続する第３ブリッジアーム、および、前記第２の出力点と前記第２の入力点とを電気的に接続する第４ブリッジアームを有し、前記第１ブリッジアームは、測定対象となる物理量に応じてインピーダンスが変化する第１のセンサ素子を含み、かつ、前記第２ブリッジアームは、前記物理量に応じてインピーダンスが変化する第２のセンサ素子を含み、前記第１および第２ブリッジアームが有する合計のインピーダンスは、前記第３および第４のブリッジアームが有する合計のインピーダンスよりも小さく設定されている。
【００１７】
好ましい実施形態において、前記第１および第２のセンサ素子は、いずれも、荷重に応じてインピーダンスが変化する磁歪センサ素子であり、測定対象となる物理量は、前記第１および第２のセンサ素子のいずれか一方に加えられた荷重である。
【００１８】
好ましい実施形態において、前記第１のセンサ素子は、磁歪材料から形成された第１磁歪部材と、前記第１磁歪部材を取り囲む第１コイルを有する第１の磁歪センサ素子であり、前記第１コイルは、前記第１の入力点と前記第１の出力点とを電気的に接続しており、前記第２のセンサ素子は、磁歪材料から形成された第２磁歪部材と、前記第２磁歪部材を取り囲む第２コイルを有する第２の磁歪センサ素子であり、前記第２コイルは、前記第１の出力点と前記第２の入力点とを電気的に接続している。
【００１９】
好ましい実施形態において、前記第１および第２ブリッジアームが有する合計のインピーダンスは、前記第３および第４のブリッジアームが有する合計のインピーダンスの９０％以下である。
【００２０】
好ましい実施形態において、前記第１および第２ブリッジアームの少なくとも一方は、平衡調節用可変抵抗を含んでいる。
【００２１】
好ましい実施形態において、前記ブリッジ回路は、前記第１のセンサ素子と前記第２のセンサ素子との間に直列的に接続された平衡調節用可変抵抗素子を有しており、前記第１の出力点は、前記平衡調節用可変抵抗素子に接続されている。
【００２２】
好ましい実施形態において、前記ブリッジ回路は、前記第３のブリッジアームと前記第４のブリッジアームセンサ素子との間に直列的に接続された第２の平衡調節用可変抵抗素子を有しており、前記第２の出力点は、前記第２の平衡調節用可変抵抗素子に接続されている。
【００２３】
好ましい実施形態において、測定動作時において、前記第１の出力点と前記差動増幅回路との間、および、前記第２の出力点と前記差動増幅回路との間には電流が実質的に流れない。
【００２４】
好ましい実施形態において、前記ブリッジ回路における前記第１および第２の入力点に印加する交流電圧を生成する交流電圧生成回路と、前記第１および第２の出力点に接続される前記差動増幅回路とは同一電子回路基板上に搭載されている。
【００２５】
好ましい実施形態において、前記交流電圧生成回路は、発振回路と、前記発振回路から出力される信号の振幅を制限する振幅制限回路とを有している。
【００２６】
好ましい実施形態において、前記差動増幅回路を含む検出回路部を備え、前記検出回路部は、前記第１のセンサ素子によって測定される前記物理量の値と、前記第２のセンサ素子によって測定される前記物理量の値とが等しいときであっても、ゼロではない値を示す信号を出力することにより、前記検出回路部の出力信号を伝播する配線が断線しているか否かの判断が可能である。
【００２７】
本発明の乗り物は、上記いずれかの物理量検出装置と、前記物理量検出装置によって検出される物理量に応じて動作が制御されるエンジンとを備えている。
【００２８】
好ましい実施形態において、前記物理量検出装置によって検出される物理量は、操作者によって前記乗り物のハンドルに加えられた力に依存した量である。
【００２９】
本発明のゼロ点調整方法は、上記の物理量検出装置におけるブリッジ回路のゼロ点調整方法であって、前記第１および第２のセンサ素子によって検知すべき物理量をゼロに設定した状態で前記平衡調整用可変抵抗器のいずれか一方を調節することにより、前記第１および第２の出力点の間における差動電圧の振幅を最小にする第１調整工程と、前記第１および第２のセンサ素子に与える物理量をゼロにした状態で前記平衡調整用可変抵抗器の他方を調節することにより、前記第１および第２の出力点の間における差動電圧の振幅を最小にする第２調整工程とを含む。
【００３０】
好ましい実施形態において、前記第１調整工程および第２調整工程を繰り返すことにより前記差動電圧を極小化する。
【発明の効果】
【００３１】
本発明によれば、ブリッジ回路における２つの電流径路のうちの一方においてセンサ素子を直列的に配列し、かつ、センサ素子に流れる励磁電流を増やすことにより、センサ素子の有する特性ばらつきの影響を低減することができる。また、本発明によれば、ゼロ点の完全平衡調整を実現することができるため、並列型ブリッジ回路を採用した従来例に比べ、２つのセンサ素子の間に生じ得る出力特性の差異を格段に縮小することも可能になる。
【発明を実施するための最良の形態】
【００３２】
本発明の物理量検出装置は、物理量検出のためのセンサ素子が直列的に接続されたブリッジ回路を備えている。このブリッジ回路は、図１（ｂ）に示すように、交流電圧が供給される第１および第２の入力点Ｎ１、Ｎ２と、差動増幅回路に接続される第１および第２の出力点Ｓ１、Ｓ２を有しており、第１および第２の入力点Ｎ１、Ｎ２に供給される交流電圧は、交流電圧生成回路部１０から供給される。第１および第２の出力点Ｓ１、Ｓ２に接続される差動増幅回路（図１において不図示）の出力は、不図示の検出回路部から信号電圧として出力される。
【００３３】
図１（ｂ）に示されるブリッジ回路は、第１の入力点Ｎ１と第１の出力点Ｓ１とを電気的に接続する第１ブリッジアーム、第１の出力点Ｓ１と第２の入力点Ｎ２とを電気的に接続する第２ブリッジアーム、第１の入力点Ｎ１と第２の出力点Ｓ２とを電気的に接続する第３ブリッジアーム、および、第２の出力点Ｓ２と第２の入力点Ｎ２とを電気的に接続する第４ブリッジアームを有している。
【００３４】
第１ブリッジアームは、測定対象となる物理量に応じてインピーダンスが変化する第１のセンサ素子ＳＥ１を含み、かつ、第２ブリッジアームは、物理量に応じてインピーダンスが変化する第２のセンサ素子ＳＥ２を含む。このように、図１（ｂ）に示すブリッジ回路では、２つのセンサ素子ＳＥ１、ＳＥ２が直列に接続されているため、このようなブリッジ回路を、従来の「並列型ブリッジ回路」に対して、「直列型ブリッジ回路」と称することができる。
【００３５】
本発明では、センサ素子ＳＥ１、ＳＥ２が直列に接続されている第１および第２ブリッジアームが有する合計のインピーダンスを、第３および第４のブリッジアームが有する合計のインピーダンス（固定抵抗値）よりも小さく設定している。このため、第１および第２の入力点Ｎ１、Ｎ２の間に交流電流を流すとき、第３および第４のブリッジアームを流れる電流に比べ、第１および第２ブリッジアームを流れる電流が大きくなる。その結果、直列接続された２つのセンサ素子ＳＥ１、ＳＥ２を流れる電流を並列型に比べて格段に大きくことができるため、センサ素子ＳＥ１、ＳＥ２の特性ばらつきに起因する影響を低減することができる。より具体的には、第１および第２ブリッジアームの合計インピーダンスを、第３および第４ブリッジアームの合計インピーダンスの１／９の大きさに設定した場合、交流電圧生成回路部１０からブリッジ回路部２０に供給される交流電流の９0％が第１および第２ブリッジアームを流れることになる。
【００３６】
第１および第２ブリッジアームが有する合計のインピーダンスは、第３および第４のブリッジアームが有する合計のインピーダンスの９０％以下であることが好ましく、５０％以下であることがさらに好ましく、２０％以下であることが最も好ましい。
【００３７】
［実施形態１］
以下、本発明の物理量検出装置の好ましい実施形態として、磁歪式荷重検出装置を説明する。
【００３８】
図２は、本実施形態の荷重検出装置における主要部の回路構成を示している。この荷重検出装置は、交流電圧生成回路部１０と、ブリッジ回路部２０と、検出回路部３０とを有している。
【００３９】
交流電圧生成回路部１０は、基準直流電源回路１６と、基準電圧を中心に正弦波を発生させる正弦波発振回路１７と、入力インピーダンスの高いバッファアンプ１８と、ブリッジ回路部２０に流す電流の大きさを調節する電流制限固定抵抗器１９とを有している。
【００４０】
ブリッジ回路部２０は、平衡調整用可変抵抗器２３を間に挟んで直列に接続された磁歪センサ素子２１、２２と、平衡調整用可変抵抗器２６を間に挟んで直列に接続されたブリッジ固定抵抗器２４、２５を有している。このブリッジ回路部２０は、図１（ｃ）に示すブリッジ回路と基本的に同一の構成を有している。
【００４１】
検出回路部３０は、ブリッジ回路部２０の差動電圧を増幅する交流差動増幅回路３１と、この出力信号中の直流成分をカットする直流阻止コンデンサ３２と、このコンデンサ３２を通過してきた交流信号を整流する全波整流回路３３と、全波整流回路３３からの出力電圧を平滑化する低域通過フィルタ３４と、ゲイン調整用可変抵抗器を備えた直流増幅回路３５と、信号電圧出力端子３６とを備えている。
【００４２】
次に、図３を参照して、ブリッジ回路部２０の構成を詳しく説明する。
【００４３】
本実施形態におけるブリッジ回路部２０では、図３に示すように、第１ブリッジアームＢＡ１が磁歪センサ素子２１を含み、第２ブリッジアームＢＡ２が磁歪センサ素子２２を含んでいる。
【００４４】
磁歪センサ素子２１、２２は、いずれも、磁歪材料から形成された磁歪部材と、この磁歪部材を取り囲むコイルを有している。磁歪センサ素子２１のコイルは、第１の入力点Ｎ１と第１の出力点Ｓ１とを電気的に接続し、磁歪センサ素子２２のコイルは、第１の出力点Ｓ１と第２の入力点Ｎ２とを電気的に接続している。
【００４５】
第１ブリッジアームＢＡ１と第２ブリッジアームＢＡ２との接続ノード（第１の出力点Ｓ１）は、平衡調整用可変抵抗器２３の中に存在している。本実施形態で用いる平衡調整用可変抵抗器２３は、図４に示すような構成を有しており、端子Ａと端子Ｂとの間に存在する抵抗体４０の抵抗値Ｒは固定値であるが、端子Ｃに接続された接触子４２と抵抗体４０との接続点（接触位置）を移動させることにより、端子Ａと端子Ｃとの間の抵抗値を可変にすることができる。端子Ａと端子Ｃとの間の抵抗値を増加させるとき、端子Ｂと端子Ｃとの間の抵抗値は低下することになる。接触子４２と抵抗体４０との間の接続点の位置により、抵抗体４０を直列に接続された２つの抵抗部分に分けて考えることができる。これらの２つの抵抗部分の抵抗値を、それぞれ、Ｒ１およびＲ２とすると、Ｒ＝Ｒ１＋Ｒ２の関係が成立する。
【００４６】
再び図３を参照する。
【００４７】
第１ブリッジアームＢＡ１のインピーダンスは、磁歪センサ素子２１のインピーダンスと、平衡調整用可変抵抗器２３における抵抗成分Ｒ１との和によって表される（配線抵抗は無視する。以下同様。）。一方、第２ブリッジアームＢＡ２のインピーダンスは、磁歪センサ素子７のインピーダンスと、平衡調整用可変抵抗器２３における抵抗成分Ｒ２との和によって表される。したがって、第１および第２ブリッジアームＢＡ１、ＢＡ２の合計のインピーダンスは、磁歪センサ素子２１、２２の合計インピーダンスと、平衡調整用可変抵抗器２３における抵抗値Ｒとの和によって表される。抵抗値Ｒは、磁歪センサ素子２１のインピーダンスと磁歪センサ素子２２のインピーダンスの差程度の大きさを有していればよく、各磁歪センサ素子２１、２２のインピーダンスに比べて充分に小さな値に設定することが可能である。本実施形態で使用する各磁歪センサ素子２１、２２のインピーダンスは、５０〜１００Ωの範囲にあるが、２つの磁歪センサ素子２１、２２の間にあるインピーダンスの差異は５〜１０Ω程度であるため、抵抗値Ｒは例えば５〜１０Ωの範囲の大きさを有するものが用いられ得る。
【００４８】
一方、ブリッジ回路部２０における第３ブリッジアームＢＡ３は固定抵抗器２４を含み、第４ブリッジアームＢＡ４は固定抵抗器２５を含んでいる。そして、第３ブリッジアームＢＡ３と第４ブリッジアームＢＡ４との接続ノード（第２の出力点Ｓ２）は、平衡調整用可変抵抗器２６の中に存在している。平衡調整用可変抵抗器２６の構造は、平衡調整用可変抵抗器２３の構造と同様である。
【００４９】
本実施形態では、上述のように、平衡調節可変抵抗器２３、２６における端子Ｃ（図４参照）を図２に示す検出回路部３０に接続している。このため、交流差動増幅回路３１の入力インピーダンスを高く設定すると、ブリッジ回路部２０の出力点と検出回路部３０の信号入力部との間に電流を流さない構成を実現できる。このことによる効果は、後に説明する。
【００５０】
（磁歪センサ素子）
次に、図５および図６を参照しながら、本実施形態の荷重検出装置で用いる磁歪センサ素子２１、２２の配置例を説明する。本実施形態の荷重検出装置は、荷重測定が必要となる種々の機器に用いられ得るが、ここでは、乗り物の操舵軸に取り付けられ、トルクを検出するために用いられる例について説明する。
【００５１】
図５は、操舵軸に取り付けられた荷重センサユニット５を示す斜視図であり、図６は、荷重センサユニット５における操舵軸を横切る断面を示す図である。図５に示す荷重センサユニット５は、上操舵軸３ａと下操舵軸３ｂとを連結する部分に設けられている。下操舵軸３ｂは、その上端部に位置する上操舵軸３ａとの連結部にセンサ収容部５１を有し、このセンサ収容部５１内には、上操舵軸３ａの下端部の外周部の一部から突出している押圧部３ｃが突入している。
【００５２】
押圧部３ｃは、上操舵軸３ａの外周部からセンサ収容部５１内に突出している。センサ収容部５１は、押圧部３ｃを境にして左右の２つの部分に分割され、右側の部分には磁歪センサ素子２１が収容され、また左側の部分には磁歪センサ素子２２が収容されている。
【００５３】
磁歪センサ素子２１は、その底部とセンサ収容部５１の一方の側壁との間に設けられたばね５３Ａによって磁歪センサ素子２１の底部が押圧部３ｃに向かう方向に押圧され、これにより磁歪センサ素子２１の底部と反対側に突出して設けられた被押圧部５５Ａが押圧部３ｃに当接して押圧するようになっている。
【００５４】
磁歪センサ素子２２も同様に、この磁歪センサ素子２２の底部とセンサ収容部５１の他方の壁との間に設けられたばね５３Ｂによって磁歪センサ素子２２の底部が押圧部３ｃに向かう方向に押圧され、これにより、磁歪センサ素子２２の底部と反対側に突出して設けられた被押圧部５５Ｂが押圧部３ｃに当接して押圧するようになっている。
【００５５】
磁歪センサ素子２１、２１は、磁気変化を検知する磁気コイルを有し、各磁歪センサに対応する被押圧部５５Ａ、５５Ｂとともに逆磁歪効果を利用した磁歪センサを構成している。被押圧部５５Ａ、５５Ｂが押圧部３ｃによって押圧されて歪むことにより、この歪みに応じて生じる被押圧部５５Ａ、５５Ｂの磁気変化、具体的には透磁率または磁化特性の変化を磁歪センサ素子２１、２２の磁気コイルのインピーダンスの変化として検知することができる。
【００５６】
荷重センサユニット５を用いて操舵軸のトルクを検出する場合、ハンドルを例えば左方向に操作すると、ハンドルに連結されている上操舵軸３ａは、矢印３０１で示すように回転する。このように上操舵軸３ａが回転すると、その押圧部３ｃは上操舵軸３ａとともに矢印３０２に示すように回動し、この上操舵軸３ａの回転力に応じて被押圧部５５Ａおよび磁歪センサ素子２１を矢印３０３で示すようにばね５３Ａに抗して押圧する。
【００５７】
このように上操舵軸３ａの回転力により押圧部３ｃを介して被押圧部５５Ａが押圧されると、被押圧部５５Ａは上操舵軸３ａの回転力に応じて歪むことになり、この歪みに応じて被押圧部５５Ａに磁気変化が生じる。この磁気変化は磁歪センサ素子２１を構成する磁気コイルで上操舵軸３ａの回転トルクとして検知されることになる。
【００５８】
ハンドルを反対の右方向に操作した場合には、磁歪センサ素子２１、被押圧部５５Ａ、ばね５３Ａの代わりに磁歪センサ素子２２、被押圧部５５Ｂ、ばね５３Ｂがそれぞれ同様の作用を行うものであり、単に回転方向や押圧方向が異なるのみであるので、その説明は省略する。
【００５９】
ばね５３Ａに対して組立時に一定の荷重、例えばＦニュートン（Ｎ）を予め印加しておくと、押圧部３ｃにより被押圧部５５Ａと磁歪センサ素子２１が押圧される場合に、この押圧荷重がＦニュートンを超えない限りにおいては、被押圧部５５Ａと磁歪センサ素子２１は動かないが、Ｆニュートンを超えると、被押圧部５５Ａと磁歪センサ素子２１は右方向に移動するため、被押圧部５５Ａと磁歪センサ素子２１にはＦニュートン以上の押圧荷重がかからないという過荷重防止機能を実現するようになっている。
【００６０】
荷重検出装置における磁歪センサ素子に対する荷重印加方法は、上述した例に限定されず、種々の印加方法に適用可能である。ただし、本発明の好ましい実施形態においては、一対の磁歪センサ素子のいずれか一方のみに荷重を印加し、そのとき荷重が印加されていない他方の磁歪センサ素子を測定のレファランスとして利用している。このため、本実施形態の荷重検出装置による場合、磁歪センサ素子のいずれか一方に測定対象の荷重を印加する必要がある。このことは、本発明の物理量測定装置で所定の物理量を測定する場合のすべてに成立することである。
【００６１】
なお、図５および図６では、アンプや抵抗器などの回路要素を集積した電子回路基板は図示していないが、これの電子回路基板は、磁歪センサ素子の近傍に配置されていても良いし、磁歪センサ素子から離れた位置において他の制御回路部と一体化されていても良い。
【００６２】
（荷重検出動作）
以下、図２を参照しながら、本実施形態の荷重検出装における測定動作の詳細を説明する。
【００６３】
まず、基準直流電源回路１６は、５Ｖ（ボルト）の電源電圧（不図示）に基づいて２．５Ｖの基準直流電圧を出力する。この基準直流電圧は正弦波発振回路１７に入力される。正弦波発振回路１７は、この基準直流電圧を中心に振動する正弦波の発振信号を出力する。正弦波発振信号の周波数は例えば１ｋＨｚに設定され、振幅Ｖｐｐ（ピークｔｏピーク）は例えば２Ｖに調節される。
【００６４】
この発振信号は、ハイインピーダンスのバッファアンプ１８および電流制限固定抵抗器１９を介してブリッジ回路部２０に供給される。
【００６５】
磁歪センサ素子２１、２２の一方に荷重が加えられると、磁歪効果により、荷重の加えられた磁歪センサ素子２１または磁歪センサ素子２２における磁歪材料の初透磁率が変化する。その結果、その磁歪センサ素子２１または磁歪センサ素子２２のインピーダンスが初期値から変化するため、第１ブリッジアームと第２ブリッジアームとの間でインピーダンスのバランスが崩れる。
【００６６】
上記のようにしてインピーダンスのバランスが崩れると、ブリッジ回路部２０の第１の出力点Ｓ１と第２の出力点Ｓ２との間で差動電圧が発生する。この差動電圧は、検出回路部３０における交流差動増幅回路３１で増幅される。交流差動増幅回路３１から出力される信号の交流成分は、直流阻止コンデンサ３２を通過して全波整流回路３３に入力される。
【００６７】
全波整流回路３３は、整流用ダイオードなどから構成されており、順方向電圧以下では整流動作が行えず、不感帯となる。このような事態を避け、全波整流回路３３で適切な整流動作を行なわせるためには、交流差動増幅回路３１のゲインを可能な限り高い値に設定しておくことが好ましい。本実施形態では、磁歪センサ素子２１、２２の一方に絶対最大定格の荷重が印加された場合においても交流差動増幅回路３１の出力が飽和しない最大レベルに交流差動増幅回路３１のゲインを調節している。
【００６８】
本実施形態では、全波整流回路３３における検出感度を向上させるため、全波整流を行なった後、信号振幅を２倍に増幅している。増幅された信号は、低域通過フィルタ３４に入力される、励磁電流の周波数（発振周波数）に等しい周波数を有する交流成分を十分に除去するため、低域通過フィルタ３４のカットオフ周波数を発振周波数の１／１０以下に設定している。
【００６９】
低域通過フィルタ３４の出力は、直流増幅回路３５で増幅された後、信号電圧出力端子３６から出力される。信号電圧出力端子３６上の信号電圧は、磁歪センサ素子２１または磁歪センサ素子２２の一方に印加された荷重に対応した大きさを有している。
【００７０】
（初期調整）
荷重を高い精度を測定するためには、初期調整を行なう必要がある。本実施形態では、２種類の初期調整を行なっている。第１の初期調整は、磁歪センサ素子２１、２２に荷重を印加しない状態で信号電圧出力端子３６から出力される信号電圧をゼロに設定する「ゼロ点調整」である。第２の初期調整は、磁歪センサ素子２１、２２の一方に最大荷重を印加した状態で信号電圧出力端子３６から出力される信号電圧を所定の要求値に設定する「感度調整」である。
【００７１】
本実施形態では、交流差動増幅回路３１から出力される交流出力を測定しながら、この交流出力の振幅値が最小となるように平衡調整用可変抵抗器２３および２６を調節する（ゼロ点調整）。次に、直流増幅回路３５の直流出力を測定しながら、磁歪センサ素子２１または磁歪センサ素子２２に４００ニュートンの荷重を印加する。この荷重が印加された状態で直流増幅回路３５から出力される直流電圧が例えば３．５Ｖに等しくなるように、直流増幅回路３５のゲインを調整する（感度調整）。
【００７２】
なお、バッファアンプとして機能するオペアンプ１３の出力電流は１０ｍＡ程度である。本実施形態では、並列型のブリッジ回路を用いる代わりに、直列型のブリッジ回路を採用しているため、磁歪センサ素子２１、２２が設けられている第１および第２ブリッジアームに流れる電流を、第３および第４ブリッジアームに流れる電流よりも大きくすることができる。このため、２つの磁歪センサ素子２１、２２の間に初透磁率の差異などに起因する初期特性のばらつきが存在していたとしても、充分に大きな電流を磁歪センサ素子２１、２２に流すことができ、磁歪センサ素子２１、２２の出力特性の差異が検出精度を低下させないようにすることが可能である。
【００７３】
なお、交流差動増幅回路３１の検出感度を向上させるためには、交流差動増幅回路３１に入力される信号の差動振幅レンジを広げることが重要である。最大荷重時に差動出力電圧の振幅が最大となるためには、ブリッジ回路における第１ブリッジアームのインピーダンスを第２ブリッジアームのインピーダンスと略等しく設定する必要がある。第１ブリッジアームと第２ブリッジアームとの間でインピーダンスと略等しく設定すると、差動振幅レンジの中央付近を基準電圧付近に設定することができるため、交流差動増幅回路３１のゲインを向上させることができる。
【００７４】
本実施形態で用いる磁歪センサ素子２１、２２のインピーダンスは相互に略等しいため、並列型のブリッジ回路を採用した従来例に比べ、第１ブリッジアームのインピーダンスを第２ブリッジアームのインピーダンスと略等しく設定することが容易である。これは、磁歪センサ素子２１、２２を直列に接続することによる利点の１つである。
【００７５】
また、磁歪センサ素子２１のインピーダンスと磁歪センサ素子２２のインピーダンスが略等しいと、平衡調整用可変抵抗器２３に要求される抵抗変化の範囲を、各磁歪センサ素子２１、２２のインピーダンスに比べて格段に小さくすることができる。このことは、第１および第２ブリッジアームの全体のインピーダンスを低減することに寄与するとともに、平衡調整用可変抵抗器２３が有する温度特性の影響を低減することにも役立つ。通常、平衡調整用可変抵抗器２３の抵抗は比較的大きな温度依存性を有しているため、ゼロ点調整を行なった後、平衡調整用可変抵抗器２３の温度が変動すると、それに応じてインピーダンスバランスが崩れやすくなる。しかし、本実施形態によれば、平衡調整用可変抵抗器２３の抵抗値をセンサインピーダンスに比べて充分小さい値に設定できるため、抵抗の温度特性に起因する影響が及びにくい。
【００７６】
（平衡調整）
以下、本実施形態における平衡調整の方法を説明する。なお、「平衡調整」とは、磁歪センサ素子２１、２２のいずれにも荷重を印加していない状態（無荷重状態）において、ブリッジ回路部２０から出力される差動電圧（出力点Ｓ１、Ｓ２の間の電圧）をゼロにすることである。
【００７７】
まず、無荷重状態で平衡調整用可変抵抗器２３、２６のいずれか一方を調節し、交流差動増幅回路３１の出力振幅を最小にする。次に、無荷重状態で平衡調整用可変抵抗器２３、２６の他方を調節して、交流差動増幅回路３１の出力振幅を最小にする。このような調節作業を、２つの平衡調整用可変抵抗器２３、２６について交互に実行することにより、出力振幅を極小化すると、原理的には残差電圧を完全にゼロに低減すること（完全平衡）が可能である。
【００７８】
ゼロ点調整が不完全なために残差電圧がゼロに調節されていないと、磁歪センサ素子２１、２２の一方に荷重が印加されたとき、その出力信号が一時的に低下する。その結果、２つ磁歪センサ素子間に出力特性差が生じることになる。しかし、本実施形態では、このような現象を防止することができる。
【００７９】
図７は、従来の並列型ブリッジ回路を用いて平衡調節を行なった場合における２つの磁歪センサ素子の出力特性を示すグラフであり、図８は、完全平衡調整を行なった本実施形態におけるブリッジ回路から得られる２つの磁歪センサ素子の出力特性を示すグラフである。図７からわかるように、平衡調節が不完全であると、２つの磁歪センサ素子の出力差が大きい。これに対し、完全平衡調整が行われた本実施形態では、図８からわかるように、２つの磁歪センサ素子間で出力差が殆ど無くなっている。
【００８０】
図２に示す回路構成によれば、完全平衡調整が実現し、残差電圧をゼロにすることが可能になる。残差電圧がゼロになるということは、無荷重時の出力電圧レベルがゼロになることを意味している。
【００８１】
なお、図７および図８においては、微小荷重領域の出力が０（ゼロ）ではなく、約０．５Ｖの値を示している。これは「断線検出」のためである。以下、この「断線検出」について説明する。
【００８２】
本実施形態の荷重検出装置において、完全平衡調節によって残差電圧をゼロにすると、磁歪センサ素子に印加される荷重がゼロのとき、直流増幅回路３５の入力部における信号電圧はゼロボルト（０Ｖ）になる。
【００８３】
荷重検出装置を乗り物などのシステムに用いる場合、信号電圧出力端子３６の出力信号は、ハーネスを介してエンジンコントロールユニットなどに供給される。このハーネスなどの配線の一部に断線が生じた場合、荷重検出装置に荷重が印加されているか否かによらず、０Ｖの電圧がエンジンコントロールユニットなどに供給されることになる。このため、荷重が印加されていない状態か、断線した状態かを識別することが困難になる。
【００８４】
そこで、本実施形態では、直流増幅回路３５の入力電圧が０Ｖであっても、直流増幅回路３５の出力電圧が０Ｖからシフトした値（約０．５Ｖ）となるように直流増幅回路３５を設計している。すなわち、本実施形態の荷重検出装置からは、磁歪センサ素子に荷重が印加されているときでも、荷重が印加されていないときでも、動作時は常に、「ゼロではない値（段線時と区別できる値）」を示す信号が出力される。このため、例えばエンジンコントロールユニットが荷重検出装置から基準値（例えば０．５Ｖ）を下回る出力電圧を受け取った場合は、断線が生じていることを判断することができるため、断線検知が実現する。
【００８５】
なお、平衡調整回路の違いが残差電圧にどの程度影響を与えるかを調べた。不完全平衡調整回路の場合、その残差電圧レベルとばらつきが大きいのに対して、完全平衡調整回路によるデータから、測定ダイナミックレンジの拡大に効果があることが分かった。
【００８６】
前述のようにゼロ点の安定度は、センサの左右ばらつきや微小荷重の検出精度への影響が大きい。そのためこのゼロ点は極力安定化させる必要がある。
【００８７】
図２に示す回路を構成する配線、抵抗器、アンプ、コンデンサなどの回路構成要素は、１つの電子回路基板上に搭載されることが好ましい。電子回路基板は、調整後に樹脂注型によって封止されることが好ましい。このようにして電子回路基板の表面を樹脂で覆うことにより、平衡調整用可変抵抗器２３、２６の可動部が動くことは無い。ただし、この平衡調整用可変抵抗器２３、２６の接触子４２（図４）は完全に固定されるわけではないため、図４に示す抵抗体４０と接触子４２との接触部の抵抗値（接触抵抗値）は不安定であり、経時変化を起こしやすい。
【００８８】
従来の並列型のブリッジ回路において可変抵抗器を用いる例では、接触子に電流が流れるような構成が採用されている。そのような回路では、接触抵抗値の変化が図４（ｂ）に示す端子Ａ−Ｂ間の抵抗値を変化させるため、ブリッジ回路の平衡点を変化させる原因となる。
【００８９】
しかしながら、本実施形態のブリッジ回路部２０では、交流差動増幅回路３１の入力インピーダンスが高く設定されているため、平衡調整用可変抵抗器２３、２６の接触子には電流がほとんど流れない。したがって、平衡調整用可変抵抗器２３、２６の接触子に存在する接触抵抗値が経年的に変化するなどに理由によって変動したとしても、検出電圧に影響を与えることはなく、測定の信頼性が向上する。
【００９０】
なお、本発明で用いる直列型ブリッジ回路においても、可変抵抗器をブリッジアームの少なくとも一方（好ましくは両方）に挿入しても、平衡調整は可能である。しかし、この場合は、各可変抵抗器における接触子に電流が流れるため、接触抵抗の変動による安定性の低下が生じえる。ただし、このような場合でも、接触抵抗の安定性を充分に向上させた可変抵抗器を用いれば、ゼロ点安定性の低下を避けることは可能である。
【００９１】
［実施形態２］
以下、実施形態１の荷重検出装置を備えた水上乗り物の実施形態を説明する。ここでは、水上乗り物の本実施形態として、水ジェット推進艇を説明する。水ジェット推進艇は、エンジンで駆動されるジェット推進機で加圧された水をノズルから噴射することにより、その反動で推進することができる。このような乗り物に荷重検出装置などの物理量検出装置を用いる場合、海上という厳しい環境で使用されるため、耐久性や長期信頼性が必要となるため、本発明の物理量検出装置が用いられて有利な効果を発揮することができる。
【００９２】
図９は、本実施形態の水ジェット推進艇１００の概略構成を示している。水ジェット推進艇の艇体１００は、下部のハル部材１０１と上部のデッキ部材１０２とから構成され、デッキ部材１０２上に跨座式シート１０３が設けられている。このシート１０３の前方に設けられているのが操舵用のハンドル１０４である。
【００９３】
艇体内には、駆動源であるエンジン１が配設され、エンジン１の出力軸１０５にはジェット推進機１０６のインペラが１０７接続されている。従って、エンジン１でジェット推進機１０６のインペラ１０７が回転駆動されると、艇底の水吸引口１０８から水が吸引され、ジェット推進機１０６内で加圧・加速された水はノズル１０９から後方に噴射され、その反動で自艇が前進する。また、ハンドル１０４を操舵すると、ノズル１０９の後方のディフレクタと呼ばれる舵取り装置が揺動して、自艇を左右に旋回することができる。つまり、ハンドル１０４を操舵すると噴射される水の向きが変わり、これにより自艇を旋回させることができるようになっている。なお、自艇を後進させる場合には、リバースレバー１２０を操作して、ノズル１０９後方のリバースゲート１２１を昇降し、ノズル１０９から噴射される水の向きを自艇前方に変換することにより可能となる。なお、図中の符号１１２は、リバースレバー１２０操作により自艇が後進していることを検出するリバーススイッチである。
【００９４】
図１０は、ハンドル１０４の構成を示している。ハンドル１０４は、操舵軸１１３の回りに回転可能であり、ハンドル１０４を左右に操舵することができる。ハンドル１０４の右グリップの近傍には、操艇者の加減速意思に合わせて操作されるスロットルレバー１１０が設けられている。このスロットルレバー１１０は、解放時、グリップから離れており、加速する場合には、操艇者がグリップ側に近づけるようにしてスロットルレバー１１０を握り込む。スロットルレバー１１０を戻すということは、スロットルレバー１１０を解放することである。
【００９５】
操舵軸１１３には、ハンドル１０４への操舵力、具体的には操舵トルクを検出するための操舵トルクセンサ１１１が設けられている。この操舵トルクセンサ１１１は、実施形態１の磁歪式荷重検出装置と同様の構成を有している。ハンドル１０４は所定角度まできると、ハンドル軸が規制されて動かなくなる。操舵トルクセンサ１１１は、更にハンドル１０４に操舵力を与えた状態で、ハンドル１０４に係る操舵トルクを検出するロードセルとして機能する。なお、操舵トルクセンサ１１１の構成は、図５および図６に示す荷重センサユニットの具体的構成に限定されず、磁歪センサ素子の配置や機械的な接続関係は、多様な態様で実現することができる。スロットルレバー１１０には、操艇者によるスロットルレバー１１０の操作量、即ちスロットル開度を検出するスロットル開度センサ１１４が設けられている。
【００９６】
図１１は、水ジェット推進艇１００のエンジン及びその制御装置の概略を示している。本実施形態のエンジン２０１は、比較的小排気量のストロークエンジン２０１であり、シリンダボディ２０２、クランクシャフト２０３、ピストン２０４、燃焼室２０５、吸気管２０６、吸気バルブ２０７、排気管２０８、排気バルブ２０９、点火プラグ２１０、点火コイル２１１を備えている。また、吸気管２０６内には、スロットルレバー１１０の開度に応じて開閉されるスロットルバルブ２１２が設けられ、このスロットルバルブ２１２の下流側の吸気管２０６に、燃料噴射装置としてのインジェクタ２１３が設けられている。このインジェクタ２１３は、燃料タンク２１９内に配設されているフィルタ２１８、燃料ポンプ２１７、圧力制御バルブ２１６に接続されている。
【００９７】
吸気管２０６のスロットルバルブ２１２の近傍には、スロットルバルブ２１２をバイパスするバイパス路２０６ａが設けられ、このバイパス路２０６ａにバイパス路の開度を調整するバイパスバルブ２１４（減速時エンジン出力制御手段）が設けられている。バイパスバルブ２１４は、アイドルバルブのように、スロットルバルブ２１２の開度とは個別にエンジン２０１側への吸気流量を調整してエンジンの出力、この場合はエンジントルクを制御する。なお、バイパス路２０６ａの開度、つまりエンジントルクは、例えば電磁デューティバルブのように、バイパスバルブ２１４を駆動するためのアクチュエータ２２３への電流値、またはデューティ比を制御することにより制御可能である。
【００９８】
エンジン２０１の運転状態並びにバイパスバルブ２１４のアクチュエータ２２３の駆動状態は、エンジンコントロールユニット２１５によって制御され、エンジンコントロールユニット２１５は、マイクロコンピュータ等の演算処理装置を備えている。エンジンコントロールユニット２１５の制御入力、つまりエンジン２０１の運転状態を検出する手段として、クランクシャフト２０３の回転角度、つまり位相を検出したり、クランクシャフト２０３自身の回転速度を検出したりするためのクランク角度センサ２２０、シリンダボディ２０２の温度又は冷却水温度、即ちエンジン本体の温度を検出する冷却水温度センサ２２１、排気管２０８内の空燃比を検出する排気空燃比センサ２２２、吸気管２０６内の吸気圧力を検出するための吸気圧力センサ２２４、吸気管２０６内の温度、即ち吸気温度を検出する吸気温度センサ２２５が設けられている。
【００９９】
通常は、スロットルレバー１１０に設けられたスロットル開度センサ１１４（スロットル開度センサ）の出力信号がエンジントルクの制御に用いられるが、オフスロットル時には、操舵用ハンドル１０４に設けられた操舵トルクセンサ（磁歪式荷重センサ）１１１の出力信号もエンジントルクの制御に用いることができる。エンジンコントロールユニット２１５は、これらのセンサの検出信号を入力し、燃料ポンプ２１７、圧力制御バルブ２１６、インジェクタ２１３、点火コイル２１１、およびアクチュエータ２２３に制御信号を出力する。
【０１００】
本実施形態によれば、完全平衡調整がなされた荷重検出装置を用いて操舵トルクを検出するため、荷重の小さな領域でも測定精度が高く、また信頼性も向上している。本実施形態では、乗り物として水ジェット推進艇の実施形態を説明したが、本発明の適用範囲は、このような場合に限定されない。
【０１０１】
なお、上記の実施形態で使用しているセンサ素子は、磁歪センサ素子であったが、本発明におけるセンサ素子は、これに限定されるものではなく、例えば磁気変化の変わりに静電容量の変化、圧電効果、電気抵抗の変化を利用するセンサ素子であってもよい。静電容量の変化を利用するセンサの場合には、被押圧部が静電容量の電極で構成され、所定の静電容量変化検出手段が、操舵軸の回転力によって電極が押圧されたことによる静電容量の変化を、被押圧部の変化として検出することになる。また、圧電効果を利用するセンサの場合には、被押圧部が圧電素子で構成され、所定の圧電変化検出手段が、操舵軸の回転力によって圧電素子が押圧されたことによる圧電素子の電気的変化を、被押圧部の変化として検出することになる。更に、電気抵抗の変化を利用するセンサの場合には、被押圧部が抵抗手段で構成され、所定の抵抗変化検出手段が、操舵軸の回転力によって抵抗手段が押圧されたことによる抵抗手段の電気抵抗の変化を、被押圧部の変化として検出することになる。
【０１０２】
なお、各種のセンサ素子の中でも、本発明は、磁歪式センサ素子を使用する場合に特に顕著な効果を発揮することができる。これは、磁歪センサ素子を使用する場合において、前述した理由から、センサ素子に大きな電流を流すことが特性ばらつきの影響解消に役立つのに対して実際には大きな電流を流すことができないという問題があるからである。したがって、このような問題を有する磁歪センサ素子を用いて正確な荷重測定を行う上で、本発明は顕著な効果を発揮することができる。
【産業上の利用可能性】
【０１０３】
本発明の物理量検出装置は、陸上または海上で使用される各種の乗り物における荷重検出などに好適に用いられるため、産業上の利用可能性が高い。
【図面の簡単な説明】
【０１０４】
【図１】（ａ）は、１対のセンサ素子が並列に接続されたブリッジ回路（従来例）を示す図であり、（ｂ）は、１対のセンサ素子が直列に接続されたブリッジ回路（本発明）を示す図であり、（ｃ）は、一対のセンサ素子が直列に接続され、さらに２つの出力点に可変抵抗器が設けられたブリッジ回路（本発明の好ましい実施形態）を示す図である。
【図２】本発明の物理量検出装置の実施形態１における回路構成を示す回路図である。
【図３】実施形態１におけるブリッジ回路部２０の構成を詳しく示す回路図である。
【図４】（ａ）は可変抵抗器を示し、（ｂ）は可変抵抗器の具体的構成例を示す図である。
【図５】操舵軸に取り付けた荷重センサ装置（荷重センサユニット）を示す斜視図である。
【図６】図５の荷重センサユニットの構成を示す断面図である。
【図７】ブリッジ回路部の完全平衡調整が達成されていない荷重検出装置における荷重と２つのセンサ出力との関係（比較例）を示すグラフである。
【図８】ブリッジ回路部の完全平衡調整が達成された荷重検出装置における荷重と２つのセンサ出力との関係（実施例）を示すグラフである。
【図９】本発明の物理量検出装置を備えた乗り物の実施形態である水ジェット推進艇１００の概略構成を示す図である。
【図１０】ハンドル１０４の構成を示す図である。
【図１１】水ジェット推進艇１００のエンジン及びその制御装置の概略を示す図である。
【符号の説明】
【０１０５】
１０        交流電圧生成回路部
２０        ブリッジ回路部
３０        検出回路部
１６        基準直流電源回路
１７        正弦波発振回路
１８        バッファアンプ
１９        電流制限固定抵抗器
２１、２２  磁歪センサ素子
２３        平衡調整用可変抵抗器
２４、２５  ブリッジ固定抵抗器
２６        平衡調整用可変抵抗器
３１        交流差動増幅回路
３２        直流阻止コンデンサ
３３        全波整流回路
３４        低域通過フィルタ
３５        直流増幅回路
３６        信号電圧出力端子
ＢＡ１      第１ブリッジアーム
ＢＡ２      第２ブリッジアーム
ＢＡ３      第３ブリッジアーム
ＢＡ４      第４ブリッジアーム
Ｎ１        第１の入力点
Ｎ２        第２の入力点
Ｓ１        第１の出力点
Ｓ２        第２の出力点
１００      水ジェット推進艇
１０１      ハル部材
１０２      デッキ部材
１０３      跨座式シート
１０４      操舵用のハンドル
１０５      エンジン１の出力軸
１０６      ジェット推進機
１０７      インペラ
１０８      水吸引口
１０９      ノズル
１１０      スロットルレバー
１１１      操舵トルクセンサ
１１２      リバーススイッチ
１１３      操舵軸
１１４      スロットル開度センサ
１２０      リバースレバー
１２１      リバースゲート
２０１      エンジン
２０２      シリンダボディ
２０３      クランクシャフト
２０４      ピストン
２０５      燃焼室
２０６      吸気管
２０６ａ    バイパス路
２０７      吸気バルブ
２０８      排気管
２０９      排気バルブ
２１０      点火プラグ
２１１      点火コイル
２１２      スロットルバルブ
２１３      インジェクタ
２１４      バイパスバルブ
２１５      エンジンコントロールユニット
２１６      圧力制御バルブ
２１７      燃料ポンプ
２１８      フィルタ
２１９      燃料タンク
２２０      クランク角度センサ
２２１      冷却水温度センサ
２２２      排気空燃比センサ
２２３      アクチュエータ
２２４      吸気圧力センサ
２２５      吸気温度センサ
【図１】
2006017701.tif 000003
【図２】
2006017701.tif 000004
【図３】
2006017701.tif 000005
【図４】
2006017701.tif 000006
【図５】
2006017701.tif 000007
【図６】
2006017701.tif 000008
【図７】
2006017701.tif 000009
【図８】
2006017701.tif 000010
【図９】
2006017701.tif 000011
【図１０】
2006017701.tif 000012
【図１１】
2006017701.tif 000013